(57)【要約】【課題】端子間への異物の浸入を抑制すること。【解決手段】電子部品本体２０、電子部品本体２０を保持する板状の基部３１を備えた保持部材３０、及び、電子部品本体２０に対して電気的に接続された端子４０を備えた電子部品１０と、電子部品本体２０を収容する第１収容室５２、及び、電子部品１０の端子４０を収容する第２収容室５３を有する電子部品１０の収容空間５１を備えた収容部材５０と、第２収容室５３に嵌合され、電子部品１０の収容空間５１への収容と共に端子４０と電気的に接続される相手側端子６１と、を有し、端子４０は、基部３１を電子部品１０の収容空間５１への挿入方向へと投影した仮想空間の内部に配置し、基部３１は、電子部品１０が挿入される収容空間５１の開口を覆う蓋部として利用すること。【選択図】図３
2016040759.tif 000002
【特許請求の範囲】
【請求項１】
電子部品本体と、該電子部品本体を保持する板状の基部を備えた保持部材と、前記電子部品本体に対して電気的に接続された端子と、を備えた電子部品と、
前記電子部品本体を収容する本体収容室と、前記電子部品の端子を収容する端子収容室と、を有する前記電子部品の収容空間を備えた収容部材と、
前記端子収容室に嵌合され、前記電子部品の前記収容空間への収容と共に前記端子と電気的に接続される相手側端子と、
を有し、
前記端子は、前記基部を前記電子部品の前記収容空間への挿入方向へと投影した仮想空間の内部に配置し、
前記基部は、前記電子部品が挿入される前記収容空間の開口を覆う蓋部として利用することを特徴とした電子部品ユニット。
【請求項２】
前記基部は、前記端子と前記相手側端子の接続部分及び当該相手側端子を前記挿入方向に見て覆うことを特徴とした請求項１に記載の電子部品ユニット。
【請求項３】
前記基部は、前記仮想空間の内部で前記電子部品本体を露出させた状態で保持することを特徴とした請求項１又は２に記載の電子部品ユニット。
【請求項４】
前記電子部品は、前記端子を露出させた状態で前記電子部品本体を収容する収容室を有し、前記保持部材に組み付けることで当該保持部材と共に筐体を成すケース部材を備えることを特徴とした請求項１又は２に記載の電子部品ユニット。
【発明の詳細な説明】
【技術分野】
【０００１】
本発明は、電子部品ユニットに関する。
【背景技術】
【０００２】
従来、電子部品は、収容部材と当該収容部材に嵌合された相手側端子と共に電子部品ユニットを成す。この電子部品ユニットにおいては、電子部品が収容部材の収容室に収容されることによって、電子部品の端子が収容部材の相手側端子と電気的に接続される。例えば、下記の特許文献１には、筐体内のリレー本体と電気的に接続されている端子を筐体の上面で筐体外に露出させ、その端子を筐体の上面と側面に沿わせながら下方に向けて延在させた電子部品としてのリレーが開示されている。その電子部品は、収容部材の収容室に対して端子の延在方向に沿って挿入することによって、電子部品ユニットを成す。
【先行技術文献】
【特許文献】
【０００３】
【特許文献１】特開２０１４−０８２０６０号公報
【発明の概要】
【発明が解決しようとする課題】
【０００４】
ところで、電子部品ユニットには、例えば端子間の接触不良を回避するべく、液体や塵埃等の異物の浸入を抑制することが求められる。しかしながら、従来の電子部品ユニットは、電子部品の端子だけでなく、その端子と収容部材の相手側端子との接続部分までも外部に露出しており、周囲に異物が存在している場合、その端子間への異物の浸入が懸念される。
【０００５】
そこで、本発明は、端子間への異物の浸入を抑制することが可能な電子部品ユニットを提供することを、その目的とする。
【課題を解決するための手段】
【０００６】
上記目的を達成する為、本発明は、電子部品本体と、該電子部品本体を保持する板状の基部を備えた保持部材と、前記電子部品本体に対して電気的に接続された端子と、を備えた電子部品と、前記電子部品本体を収容する本体収容室と、前記電子部品の端子を収容する端子収容室と、を有する前記電子部品の収容空間を備えた収容部材と、前記端子収容室に嵌合され、前記電子部品の前記収容空間への収容と共に前記端子と電気的に接続される相手側端子と、を有し、前記端子は、前記基部を前記電子部品の前記収容空間への挿入方向へと投影した仮想空間の内部に配置し、前記基部は、前記電子部品が挿入される前記収容空間の開口を覆う蓋部として利用することを特徴としている。
【０００７】
ここで、前記基部は、前記端子と前記相手側端子の接続部分及び当該相手側端子を前記挿入方向に見て覆うことが望ましい。
【０００８】
また、前記基部は、前記仮想空間の内部で前記電子部品本体を露出させた状態で保持することが望ましい。
【０００９】
また、前記電子部品は、前記端子を露出させた状態で前記電子部品本体を収容する収容室を有し、前記保持部材に組み付けることで当該保持部材と共に筐体を成すケース部材を備えることが望ましい。
【発明の効果】
【００１０】
本発明に係る電子部品ユニットにおいては、端子と相手側端子の接続部分が電子部品の収容空間への挿入方向に見て保持部材の基部で覆われる。このため、この電子部品ユニットは、その接続部分への異物の浸入を抑制することができる。
【図面の簡単な説明】
【００１１】
【図１】図１は、実施形態における電子部品ユニットの分解斜視図である。
【図２】図２は、実施形態における電子部品ユニットの斜視図である。
【図３】図３は、実施形態及び変形例における電子部品ユニットを上面からみた部分透視図である。
【図４】図４は、実施形態における電子部品の正面図である。
【図５】図５は、図４のＡ−Ａ線で切った断面図である。
【図６】図６は、実施形態及び変形例における収容部材の上面図である。
【図７】図７は、変形例における電子部品ユニットの分解斜視図である。
【図８】図８は、変形例における電子部品ユニットの斜視図である。
【発明を実施するための形態】
【００１２】
以下に、本発明に係る電子部品ユニットの実施形態を図面に基づいて詳細に説明する。尚、この実施形態によりこの発明が限定されるものではない。
【００１３】
［実施形態］
本発明に係る電子部品ユニットの実施形態の１つを図１から図８に基づいて説明する。
【００１４】
本発明に係る電子部品ユニットとは、電子部品と、電子部品が収容される収容部材と、この収容部材に嵌合され、電子部品の端子と電気的に接続される相手側端子と、によって構成された電子部品の組付け構造体である。
【００１５】
本発明に用いられる電子部品とは、電子部品本体と、この電子部品本体を保持する保持部材と、電子部品本体に対して電気的に接続された電気接続部としての露出状態の端子と、を備えたものである。具体的に、この電子部品としては、リレーやヒューズ等が該当する。
【００１６】
また、本発明に用いられる収容部材とは、電子部品の収容空間を少なくとも１つ備えたものである。その収容空間は、電子部品本体を収容する本体収容室と、電子部品の端子を収容する端子収容室と、を有する。この収容部材には、電気接続部が取り付けられている。この収容部材の電気接続部とは、電子部品の収容空間への収容と共に当該電子部品の端子と係合することで、その相互間での電気的な接続を構築するための部品（相手側端子）である。その相手側端子は、端子収容室に嵌合されている。そして、この相手側端子には、電線又はワイヤハーネスが直接又は他の電気接続部品等を介して接続されている。この収容部材は、その電線等を介して電源（二次電池）と少なくとも１つの電子機器との間に少なくとも１つの電子部品を介在させ、その電子機器に対する電源からの電力供給を可能にする。例えば、この収容部材は、電子部品が自動車等の車両に搭載される場合、エンジンコンパートメントや車室内等における車体の構造物などに固定される。
【００１７】
ここで、収容部材は、これ単体で、少なくとも１つの電子部品を収容するための１つの部品として使用される場合がある。また、この収容部材は、その１つの部品を複数組み合わせた集合体として使用される場合もあれば、その１つの部品を主体となる部品（以下、「主体部品」という。）に少なくとも１つ組み付けて使用される場合もある。これらについては、車両で使用される場合、いわゆる電気接続箱と称されるものとして知られている。ここで、電気接続箱とは、少なくとも１つの電装品を内部に収容するものである。収容される電装品としては、上述したリレーやヒューズ等の電子部品の他に、配線用のコネクタ（中継コネクタや分岐コネクタ）などが知られている。また、電気接続箱には、車両の電子制御ユニットが収容される場合もある。尚、この電気接続箱は、リレーボックス、ヒューズボックス、ジャンクションボックス等と称される場合もある。
【００１８】
電気接続箱には、例えば、電装品を収容するための少なくとも１つの収容空間を主体部品となるフレームに形成したものがある。その収容空間に上述した電子部品を組み付ける場合、そのフレームは、上述した収容部材としての役目を果たす。このため、この場合には、その電子部品とフレームとが電子部品ユニットの構成部品になる。また、電気接続箱には、主体部品となるフレームと、このフレームにおける所定の組み付け箇所に固定された少なくとも１つのブロックと、を備えたものがある。そのブロックには、電装品の収容空間が少なくとも１つ形成されている。このブロックは、その収容空間に上述した電子部品を組み付ける場合、上述した収容部材としての役目を果たす。このため、この場合には、その電子部品とブロックとが電子部品ユニットの構成部品になり、この電子部品ユニットがフレームに固定される。更に、電気接続箱においては、そのブロックが取り付けられるフレームにも電装品の収容空間が少なくとも１つ形成される場合もある。この場合には、その収容空間に上述した電子部品を組み付けるのであれば、このフレームもブロックと共に上述した収容部材としての役目を果たす。このため、この場合の電気接続箱は、電子部品とブロックとの組付け構造体としての電子部品ユニットと、電子部品とフレームとの組付け構造体としての電子部品ユニットと、が併存することになる。ここで、ブロックは、上述した少なくとも１つの収容部材が組み付けられるものであってもよい。
【００１９】
以下においては、本実施形態の電子部品ユニットの具体例について説明する。
【００２０】
図１から図３の符号１は、本実施形態の電子部品ユニットを示している。また、その各図の符号１０，５０は、それぞれに本実施形態の電子部品と収容部材とを示している。尚、ここでは、電子部品１０としてリレーを例示する。
【００２１】
電子部品１０は、図１及び図４に示すように、電子部品本体２０と、この電子部品本体２０を露出させた状態で保持する保持部材３０と、その電子部品本体２０に対して電気的に接続された端子４０と、を備える。
【００２２】
ここで例示する電子部品本体２０は、リレー本体であり、コイル等の各種の部品によって構成されている。尚、図中の電子部品本体２０は、図示の便宜上、箱状のものとして示している。
【００２３】
この例示の保持部材３０は、方形又は矩形に成形された板状の基部３１を備える。この基部３１は、２つの平面の内の一方の平面３１ａ（図５）等に電子部品本体２０を取り付ける。この基部３１は、その平面３１ａで後述する収容空間５１の開口を覆う。つまり、この基部３１は、その開口を覆う蓋部として利用する。保持部材３０は、合成樹脂等の絶縁性の高分子材料で成形される。
【００２４】
保持部材３０は、その基部３１における４辺（４つの端部）の内、一方の一対の対向する２辺（２つの端部）にそれぞれ第１壁部３２と第２壁部３３とを設ける。この例示では、基部３１における２つの長辺の端部にそれぞれ第１壁部３２と第２壁部３３を形成する。その第１壁部３２と第２壁部３３は、基部３１から見て、それぞれに電子部品本体２０の配置されている側に向けて立設する。この例示の第１壁部３２と第２壁部３３は、基部３１の平面３１ａに対して垂直方向に延出させる。よって、この保持部材３０は、その垂直方向で、かつ、短辺方向（一方の幅方向）に切った断面がコの字状になっている。尚、以下においては、長辺方向を「他方の幅方向」と称する場合もある。
【００２５】
端子４０は、電子部品本体２０と後述する収容部材５０の端子６１とを電気的に接続させる電気接続部である。この端子４０は、電子部品本体２０と電気的に接続されている金属製のバスバーの一部として構成されたものであり、板状に成形された雄端子である。この端子４０は、保持部材３０の基部３１の平面３１ａを当該平面３１ａに対する直交方向で且つ収容空間５１の開口に向けた方向に投影してできる直方体の内側に存在するよう配置する。つまり、端子４０は、基部３１を電子部品１０の収容空間５１への挿入方向へと投影した仮想空間の内部に配置する。
【００２６】
この端子４０は、基部３１の平面３１ａに沿って延在している第１延在部４０ａと、電子部品１０を収容した際の収容部材５０の収容空間５１に向けて延在している第２延在部４０ｂと、を有する（図４）。第１延在部４０ａは、電子部品本体２０側から基部３１の平面３１ａに沿って長辺方向（他方の幅方向）に延出させる。第２延在部４０ｂは、第１延在部４０ａの延出方向の端部を基点とし、基部３１の平面３１ａに対する直交方向に延出させる。この第２延在部４０ｂの延出方向は、端子（雌端子）６１に対する端子４０の挿入方向となる。尚、その端子４０の挿入方向は、電子部品１０の収容空間５１への挿入方向と同一の方向である。
【００２７】
この例示の端子４０は、保持部材３０からみて、第１壁部３２と第２壁部３３が形成されていない他方における一対の対向する２辺側（短辺側）に配置する。一方の短辺側には、端子４０として３つの端子４０Ａ，４０Ｂ，４０Ｃが配置されている。この端子４０Ａ，４０Ｂ，４０Ｃは、互いに間隔を空けて短辺方向に並べて配置する。他方の短辺側には、端子４０として１つの端子４０Ｄが配置されている。この端子４０Ｄは、基部３１の短辺方向における略中央に配置する。
【００２８】
収容部材５０は、合成樹脂等の絶縁性の高分子材料で成形されたものであり、電子部品１０の収容空間５１を備える。この収容部材５０は、収容空間５１を電子部品１０毎に備えている。ここで例示する収容部材５０は、図１に示すように、電子部品１０Ａを収容する収容空間５１Ａと、電子部品１０Ｂを収容する収容空間５１Ｂと、を備えている。この例示では、電子部品１０Ａと電子部品１０Ｂとが互いに同一の部品である。このため、収容空間５１Ａと収容空間５１Ｂは、それぞれに同等の形状及び大きさに成形されている。その収容空間５１（５１Ａ，５１Ｂ）は、電子部品本体２０を収容する本体収容室としての第１収容室（第１キャビティ）５２と、電子部品１０の端子４０を収容する端子収容室としての第２収容室（第２キャビティ）５３と、を有している。
【００２９】
第１収容室５２は、電子部品本体２０の外形よりも大きな空間である。その空間は、図６に示すように、方形又は矩形の底部５２ａと、この底部５２ａの４辺からそれぞれに立設された壁部５２ｂ〜５２ｅと、によって形成される。この例示の第１収容室５２は、矩形の板状の底部５２ａを備え、この底部５２ａの４辺から壁部５２ｂ〜５２ｅをそれぞれに垂直方向に延出させた直方体状の空間である。この第１収容室５２においては、それぞれの壁部５２ｂ〜５２ｅにおける延出方向の端部によって開口が形成されており、この開口が電子部品本体２０の挿入箇所として利用される。尚、この例示では、収容空間５１Ａ，５１Ｂにおけるそれぞれの第１収容室５２の壁部５２ｃを共用している。
【００３０】
ここで、壁部５２ｂの収容室５２側の壁面は、電子部品１０が収容された際に、保持部材３０における第１壁部３２の外側の壁面３２ａ（図５）に対して平行な状態で対向させる。また、壁部５２ｃの収容室５２側の壁面についても同様に、この壁面は、保持部材３０における第２壁部３３の外側の壁面３３ａ（図５）に対して平行な状態で対向させる。
【００３１】
第２収容室５３は、少なくとも２つの開口と、それぞれの開口に連通している内部空間と、を有するものであり、その内部空間に電子部品１０の端子４０を収容する。その端子４０の第２収容室５３への挿入方向は、電子部品本体２０の第１収容室５２への挿入方向と同じである。第２収容室５３における２つの開口の内の一方は、電子部品１０を収容空間５１に収容する際の端子４０の挿入箇所となる。
【００３２】
この第２収容室５３には、電気接続部としての端子６１が嵌合されている。その端子６１とは、電子部品１０の端子４０と電気的に接続される相手側端子である。この例示の端子６１は、電子部品１０の端子４０が挿入される雌端子である。この端子６１は、図示しないが例えば弾性力を有するバネ形状に成形されており、挿入された端子４０をその弾性力に応じた押圧力（接触圧）によって保持することができる。この端子６１には、電線又はワイヤハーネス（図示略）が直接又は他の電気接続部品等を介して接続されている。その電線等は、第２収容室５３の他方の開口から第２収容室５３の外部へと導かれる。
【００３３】
この第２収容室５３は、電子部品１０の端子４０毎に設ける。この例示では、電子部品１０が４つの端子４０Ａ−４０Ｄを有しているので、図１及び図６に示すように、それぞれを収容するための４つの第２収容室５３Ａ−５３Ｄが設けられている。第２収容室５３Ａ−５３Ｃは、第１収容室５２からみて、壁部５２ｄよりも外側に配置する。第２収容室５３Ｄは、第１収容室５２からみて、壁部５２ｅよりも外側に配置する。４つの第２収容室５３Ａ−５３Ｄには、それぞれに端子６１Ａ−６１Ｄが嵌合されている。
【００３４】
電子部品１０と収容部材５０との間には、収容後の保持状態を強固なものとするために、その電子部品１０の収容部材５０に対する収容状態を維持するロック機構７０を少なくとも１つ設ける（図１及び図２）。そのロック機構７０は、保持部材３０に設けた第１係合部７１と、収容部材５０に設けた第２係合部７２と、を有しており、この第１係合部７１と第２係合部７２とを互いに係合させることによって、電子部品１０の収容部材５０に対する収容状態を維持する。
【００３５】
第１係合部７１は、第１壁部３２における外側の壁面３２ａに設ける。そして、第２係合部７２は、その壁面３２ａと対向している壁部５２ｂの内側（第１収容室５２側）の壁面に設ける。この例示の第１壁部３２は、長辺方向における中央部分に、電子部品１０の収容部材５０に対する挿入方向に向けて突出させた突出壁３４を備える（図１及び図４）。この例示の第１係合部７１は、その突出壁３４に設ける。その第１係合部７１は、その壁部５２ｂの内側の壁面に向けて突出させた突出部である。一方、第２係合部７２は、その第１係合部７１が挿入される穴部又は凹部である。この例示の第２係合部７２としては、方形又は矩形の穴部を用いている。
【００３６】
第１係合部７１は、電子部品１０の収容部材５０への挿入方向における後端部分を第２係合部７２との係止部７１ａとして利用する（図１）。その係止部７１ａは、その挿入方向に対して直交する平面を有しており、第１係合部７１が第２係合部７２へと挿入された際に当該第２係合部７２の壁面等と対向する。このため、この係止部７１ａは、収容部材５０に収容された電子部品１０に当該収容部材５０からの脱落方向への力が作用したとしても、その第２係合部７２の壁面等で係止される。よって、このロック機構７０は、電子部品１０の収容空間５１に対する収容状態のずれを抑えることができる。
【００３７】
また、第１係合部７１は、電子部品１０の収容部材５０への挿入方向における先端側に、その挿入方向に向かうにつれて突出量が徐々に小さくなる傾斜面７１ｂを設ける。そして、壁部５２ｂには、第１係合部７１の第２係合部７２への挿入が完了するまでの間に第２係合部７２を第１係合部７１から離れる方向へと傾倒させるための切欠き部７３ａ，７３ｂを設ける。その切欠き部７３ａ，７３ｂは、収容空間５１の開口側から電子部品１０の挿入方向へと延在させる。第２係合部７２は、その切欠き部７３ａ，７３ｂの間に配置する。このため、その切欠き部７３ａ，７３ｂで囲まれた傾倒部７４は、電子部品１０を収容する際に、第２係合部７２と共に第１係合部７１の傾斜面７１ｂによって押し動かされつつ傾倒し、第１係合部７１を第２係合部７２に挿入し終えた後で元の位置に戻る。そして、その際には、第１係合部７１が配置されている突出壁３４も傾倒部７４の傾倒方向とは逆向きに傾倒し、第１係合部７１を第２係合部７２に挿入し終えた後で元の位置に戻る。その傾倒部７４や突出壁３４は、ロック機構７０のロック状態を解除する際に使用される。例えば、作業者は、その解除方向へと傾倒部７４を傾倒させることによって、係止部７１ａによる係止状態を解除することができる。また、例えば、作業者は、その解除方向へと第１係合部７１と共に突出壁３４を押し動かすことによって、係止部７１ａによる係止状態を解除することができる。
【００３８】
ところで、この電子部品ユニット１は、多種多様な環境下で使用されるので、その設置場所も様々である。このため、この電子部品ユニット１の周囲に液体や塵埃等の異物が存在している場合には、例えば、端子４０と端子６１の接続部分に異物が浸入することによって、その端子間で接触不良を引き起こしてしまう可能性がある。
【００３９】
そこで、本実施形態の電子部品ユニット１は、少なくとも、その端子間の接続部分への異物の浸入を抑えることができるように構成する。
【００４０】
具体的には、電子部品１０の挿入方向に見た際に、端子４０と端子６１の接続部分、端子４０及び端子６１が収容空間５１の蓋部となる保持部材３０で覆われるようにする。
【００４１】
ここで、端子４０は、前述したように、基部３１を電子部品１０の収容空間５１への挿入方向へと投影した仮想空間の内部に配置している。そして、その基部３１は、電子部品１０が挿入される収容空間５１の開口を覆う蓋部として利用している。このため、この電子部品ユニット１においては、電子部品１０の端子４０及び当該端子４０と端子６１との接続部分が電子部品１０の挿入方向で基部３１によって覆われている。換言するならば、この電子部品ユニット１においては、基部３１の成す前述した仮想空間内に端子４０及び当該端子４０と端子６１との接続部分を配置させている。よって、この電子部品ユニット１は、端子４０と端子６１の接続部分への異物の浸入を抑えることができる。
【００４２】
更に、この例示では、端子６１についても電子部品１０の挿入方向で基部３１によって覆われるように、基部３１の短辺側の両端を長辺方向へと延在させることが望ましい。つまり、この電子部品ユニット１においては、基部３１の成す前述した仮想空間内に、端子４０及び当該端子４０と端子６１との接続部分だけでなく、収容部材５０の端子６１までも配置させることが望ましい。よって、この構成の電子部品ユニット１は、端子４０と端子６１の接続部分への異物の浸入をより抑えることができる。
【００４３】
尚、この例示の電子部品ユニット１においては、電子部品本体２０が露出状態のまま保持部材３０に取り付けられている。しかしながら、この電子部品ユニット１においては、その電子部品本体２０についても電子部品１０の挿入方向で基部３１によって覆われている。つまり、この電子部品ユニット１においては、基部３１の成す前述した仮想空間内に電子部品本体２０が配置されている。このため、この電子部品ユニット１は、電子部品本体２０への異物の浸入をも抑制することができる。
【００４４】
以上示したように、本実施形態の電子部品ユニット１は、端子４０と端子６１の接続部分や電子部品本体２０への異物の浸入を抑制することができる。従って、この電子部品ユニット１は、その端子間や電子部品本体２０における接触不良等の不都合の発生を抑えることができる。
【００４５】
［変形例］
前述した実施形態では、電子部品本体２０を露出状態のまま保持部材３０に取り付けている。本変形例の電子部品ユニット１では、電子部品本体２０への異物の浸入を更に抑えるために、図７に示すように、電子部品本体２０を筐体１３０に収納してから電子部品１０を収容空間５１に収容する。つまり、本変形例の電子部品ユニット１は、実施形態の電子部品ユニット１に対して筐体１３０を設けたものである。
【００４６】
その筐体１３０は、実施形態と同じ保持部材３０と、ケース部材３５と、を有する。
【００４７】
ケース部材３５は、図８に示すように、端子４０を露出させた状態で電子部品本体２０を収容する収容室３６を有し、保持部材３０に組み付けることで当該保持部材３０と共に筐体１３０を成すものである。このケース部材３５は、合成樹脂等の絶縁性の高分子材料で成形される。
【００４８】
このケース部材３５は、方形又は矩形の底部３５ａと、この底部３５ａの４辺からそれぞれに立設された壁部３５ｂ〜３５ｅと、を備える。このケース部材３５においては、その底部３５ａと壁部３５ｂ〜３５ｅとで囲まれた内部空間が電子部品本体２０の収容室３６として利用される。また、このケース部材３５においては、方形又は矩形の開口３７が形成されており、この開口３７が電子部品本体２０の収容室３６への挿入箇所として利用される。この例示のケース部材３５は、矩形の板状の底部３５ａを備え、この底部３５ａの４辺から壁部３５ｂ〜３５ｅをそれぞれに垂直方向に延出させた直方体状の箱体である。このため、開口３７は、それぞれの壁部３５ｂ〜３５ｅの延出方向における端部によって矩形に形成される。
【００４９】
長辺側の壁部３５ｂは、電子部品本体２０と保持部材３０の第１壁部３２との間に介在させる。長辺側の壁部３５ｃは、電子部品本体２０と保持部材３０の第２壁部３３との間に介在させる。短辺側の壁部３５ｄは、電子部品本体２０と端子４０Ａ，４０Ｂ，４０Ｃの第２延在部４０ｂとの間に介在させる。その端子４０Ａ，４０Ｂ，４０Ｃの第１延在部４０ａは、その壁部３５ｄの延出方向における端部と保持部材３０の基部３１との間に介在する。短辺側の壁部３５ｅは、電子部品本体２０と端子４０Ｄの第２延在部４０ｂとの間に介在させる。その端子４０Ｄの第１延在部４０ａは、その壁部３５ｅの延出方向における端部と基部３１との間に介在する。
【００５０】
このケース部材３５と保持部材３０とを組み付けた際には、これらが係止機構（図示略）によって固定される。その係止機構とは、ケース部材３５と保持部材３０との間に各々形成されている係止部（爪部と溝部等）によって構成されたものである。
【００５１】
このような電子部品本体２０が筐体１３０に収容された電子部品１０は、実施形態と同じように、収容部材５０の収容空間５１に収容される。但し、第１収容室５２には、ケース部材３５と共に電子部品本体２０が収容される。
【００５２】
このように構成した本変形例の電子部品ユニット１は、実施形態と同じように、電子部品１０の端子４０及び当該端子４０と端子６１との接続部分が電子部品１０の挿入方向で基部３１によって覆われている。つまり、この電子部品ユニット１においては、基部３１の成す前述した仮想空間内に端子４０及び当該端子４０と端子６１との接続部分が配置されている。このため、この電子部品ユニット１は、実施形態と同じように、端子４０と端子６１の接続部分への異物の浸入を抑えることができる。
【００５３】
更に、本変形例の電子部品ユニット１は、実施形態と同じように、端子６１についても電子部品１０の挿入方向で基部３１によって覆われるように、基部３１の短辺側の両端を長辺方向へと延在させてもよい。つまり、この電子部品ユニット１においては、基部３１の成す前述した仮想空間内に、端子４０及び当該端子４０と端子６１との接続部分だけでなく、収容部材５０の端子６１を配置してもよい。このため、この構成の電子部品ユニット１は、端子４０と端子６１の接続部分への異物の浸入をより抑えることができる。
【００５４】
また更に、本変形例の電子部品ユニット１においては、電子部品本体２０を筐体１３０内に収容しているので、その電子部品本体２０への異物の浸入の更なる抑制が可能になる。
【００５５】
以上示したように、本変形例の電子部品ユニット１は、実施形態と同じように、端子４０と端子６１の接続部分への異物の浸入を抑制することができるので、その端子間における接触不良等の不都合の発生を抑えることができる。更に、この電子部品ユニット１は、電子部品本体２０に対する異物浸入の更なる抑制を図っているので、その電子部品本体２０における接触不良等の不都合の発生を実施形態よりも抑えることができる。
【００５６】
ここで、前述した実施形態及び変形例の電子部品ユニット１は、図示しないが、防水性のある筐体（例えば気密性を高めた箱体）の内部に収容して使用することが望ましい。これにより、この電子部品ユニット１は、異物の浸入を更に抑制することができる。
【符号の説明】
【００５７】
１  電子部品ユニット
１０，１０Ａ，１０Ｂ  電子部品
２０  電子部品本体
３０  保持部材
３１  基部
３５  ケース部材
４０，４０Ａ，４０Ｂ，４０Ｃ，４０Ｄ  端子
５０  収容部材
５１，５１Ａ，５１Ｂ  収容空間
５２  第１収容室（本体収容室）
５３，５３Ａ，５３Ｂ，５３Ｃ，５３Ｄ  第２収容室（端子収容室）
６１，６１Ａ，６１Ｂ，６１Ｃ，６１Ｄ  端子
１３０  筐体
【図１】
2016040759.tif 000003
【図２】
2016040759.tif 000004
【図３】
2016040759.tif 000005
【図４】
2016040759.tif 000006
【図５】
2016040759.tif 000007
【図６】
2016040759.tif 000008
【図７】
2016040759.tif 000009
【図８】
2016040759.tif 000010